(57)【要約】【課題】この発明は、利用者の操作に対するレスポンスを向上させることができる非接触カード情報処理装置を提供することを目的とするものである。【解決手段】タイマ手段１１は、カード情報読取制御部１０及びアンテナ部３による情報読取動作が開始されてからの経過時間と、情報読取動作が終了するまでに要した読取時間とを計測する。シーケンス制御部８は、タイマ手段１１が計測した読取時間をメモリ手段１３に格納させる。また、シーケンス制御部８は、タイマ手段１１に読取時間が格納されている場合に、タイマ手段１１によって計測される経過時間が、メモリ手段１３に格納されている読取時間に達する前に、次の操作に関する操作ガイダンスを、液晶制御部９を介して液晶画面２に表示させる。【選択図】図１
2007226317.tif 000002
【特許請求の範囲】
【請求項１】
ＩＣカードに格納されている情報を非接触で読み取るカード情報読取手段と、
上記カード情報読取手段の情報読取動作が開始されてからの経過時間を計測するタイマ手段と、
利用者に対して操作ガイダンスを表示する表示手段と、
上記カード情報読取手段及び上記表示手段の動作を制御するとともに、上記カード情報読取手段によって読み取られた情報に基づいて情報処理を行う処理制御手段と、
上記カード情報読取手段が上記ＩＣカードから情報を読み取り終えるまでに要する読取時間を格納しているメモリ手段と
を備え、
上記処理制御手段は、上記タイマ手段によって計測される経過時間が、上記メモリ手段に格納されている読取時間に達する前に、次の操作に関する操作ガイダンスを上記表示手段に表示させることを特徴とする非接触カード情報処理装置。
【請求項２】
上記カード情報読取手段は、所定の読取限界距離を有し、
上記メモリ手段は、上記ＩＣカードが上記カード情報読取手段に最接近した状態から読取限界距離まで離されるのに要する離脱時間をさらに格納しており、
上記処理制御手段は、上記タイマ手段によって計測された経過時間が、上記メモリ手段に格納されている読取時間の離脱時間前に達したときに、次の操作に関する操作ガイダンスを上記表示手段に表示させることを特徴とする請求項１記載の非接触カード情報処理装置。
【請求項３】
上記タイマ手段は、上記カード情報読取手段が上記ＩＣカードから情報を読み取り終えるまでに要した読取時間を計測し、
上記処理制御手段は、上記メモリ手段に格納されている読取時間を、上記タイマ手段によって計測された読取時間に更新することを特徴とする請求項１又は請求項２に記載の非接触カード情報処理装置。
【請求項４】
上記ＩＣカードに格納されている情報は、利用者の個人識別を行うための個人識別情報であって、
利用者が個人識別情報を別途入力する入力手段をさらに備え、
上記処理制御手段は、上記次の操作に関する操作ガイダンスとして、上記入力手段の操作を利用者に促す操作ガイダンスを上記表示手段に表示させるとともに、上記カード情報読取手段によって読み取られた個人識別情報を、上記入力手段に入力された個人識別情報と照合することで利用者の個人識別を行うことを特徴とする請求項１ないし請求項３のいずれか１項に記載の非接触カード情報処理装置。
【請求項５】
上記個人識別情報は指紋情報であることを特徴とする請求項４記載の非接触カード情報処理装置。
【請求項６】
上記処理制御手段は、上記カード情報読取手段による情報読取動作が失敗した場合、次回の情報読取動作時については、上記次の操作に関する操作ガイダンスを情報読取動作が終了した後に上記表示手段に表示させることを特徴とする請求項１ないし請求項５のいずれか１項に記載の非接触カード情報処理装置。
【請求項７】
上記ＩＣカードに格納されている情報には、上記ＩＣカードに格納されている情報の情報量の大小を示す情報量データが含まれており、
上記メモリ手段に格納されている読取時間には、上記ＩＣカードに格納されている情報の情報量の大小に対応した大容量読取時間及び小容量読取時間が含まれており、
上記処理制御手段は、上記読取時間として、上記カード情報読取手段によって上記ＩＣカードから読み取られた情報量データに対応した大容量読取時間及び小容量読取時間のいずれか一方を使用することを特徴とする請求項１ないし請求項６のいずれか１項に記載の非接触カード情報処理装置。
【発明の詳細な説明】
【技術分野】
【０００１】
この発明は、ＩＣカードに格納されている情報を非接触で読み取る非接触カード情報処理装置に関するものである。
【背景技術】
【０００２】
従来装置では、個人識別に必要な情報等、ＩＣカードに格納されている情報がすべて読み取られた後に、次の操作に関する操作ガイダンスが表示される（例えば、特許文献１参照）。例えば、入退室管理のために指紋照合で個人識別が行われる装置では、指紋情報がＩＣカードに格納されており、ＩＣカードから指紋情報がすべて読み取られた後に、「指をセンサ上に置いて下さい」という操作ガイダンスが表示される。そして、ＩＣカードにから読み取られた指紋情報と、指紋読取センサによって利用者の指から読み取られた指紋情報とが照合される。
【０００３】
【特許文献１】特開２００４−１４５７９５号公報
【発明の開示】
【発明が解決しようとする課題】
【０００４】
上記のような従来の非接触カード情報処理装置では、ＩＣカードに格納されている情報がすべて読み取られた後に次の操作に関する操作ガイダンスが表示されるので、次の操作ガイダンスが表示されるまでの時間が長くなる。即ち、利用者の操作に対するレスポンスが悪くなり、利用者がストレスを感じることになる。
【０００５】
この発明は、上記のような課題を解決するためになされたものであり、その目的は、利用者の操作に対するレスポンスを向上させることができる非接触カード情報処理装置を提供することである。
【課題を解決するための手段】
【０００６】
この発明に係る非接触カード情報処理装置は、ＩＣカードに格納されている情報を非接触で読み取るカード情報読取手段と、カード情報読取手段の情報読取動作が開始されてからの経過時間を計測するタイマ手段と、利用者に対して操作ガイダンスを表示する表示手段と、カード情報読取手段及び表示手段の動作を制御するとともに、カード情報読取手段によって読み取られた情報に基づいて情報処理を行う処理制御手段と、カード情報読取手段がＩＣカードから情報を読み取り終えるまでに要する読取時間を格納しているメモリ手段とを備え、処理制御手段は、タイマ手段によって計測された経過時間が、メモリ手段に格納されている読取時間に達する前に、次の操作に関する操作ガイダンスを表示手段に表示させる。
【発明の効果】
【０００７】
この発明の非接触カード情報処理装置によれば、処理制御手段は、タイマ手段によって計測された経過時間が、メモリ手段に格納されている読取時間に達する前に、次の操作に関する操作ガイダンスを表示手段に表示させるので、利用者の操作に対するレスポンスを向上させることができ、利用者が感じるストレスを低減できる。
【発明を実施するための最良の形態】
【０００８】
以下、この発明を実施するための最良の形態について、図面を参照して説明する。
実施の形態１．
図１は、この発明の実施の形態１による非接触カード情報処理装置１を示すブロック図である。図２は、図１の非接触カード情報処理装置１の外観を示す正面図である。図において、入退室管理のために指紋照合し個人識別を行う非接触カード情報処理装置１には、表示手段である液晶画面２と、アンテナ部３と、指紋読取センサ部４と、制御装置５とが設けられている。
【０００９】
液晶画面２は、例えば「カードをかざして下さい」や「指を置いて下さい」等の操作ガイダンスを表示する。アンテナ部３は、アンテナ部３上にかざされたＩＣカード６から、例えば名前、所属、及び有効期間等の入退室管理に必要な情報と、個人識別情報である指紋情報とを非接触で読み取るためのものである。なお、ＩＣカード６には、非接触ＩＣ（ＩＣチップ及び送受信アンテナ）が組み込まれている。指紋読取センサ部４は、利用者が指の指紋情報を別途入力するためのものである。制御装置５は、それら液晶画面２、アンテナ部３、及び指紋読取センサ部４の動作を制御する。また、制御装置５は、アンテナ部３を介してＩＣカード６から読み取られた指紋情報と、指紋読取センサ部４を介して利用者の指から読み取られた指紋情報とを照合し個人識別を行う。なお、制御装置５は、プログラム等の情報を記憶している記憶部（ＲＯＭ及びＲＡＭ）と、記憶部が記憶している情報に基づいて演算処理を行う演算部（ＣＰＵ）とを有するコンピュータである。
【００１０】
制御装置５は、シーケンス制御部８と、液晶制御部９と、カード情報読取制御部１０と、タイマ手段１１と、指紋読取制御部１２と、メモリ手段１３とを有している。シーケンス制御部８は、非接触カード情報処理装置１全体の動作を制御する。液晶制御部９は、シーケンス制御部８からの指令に応じて液晶画面２の表示を制御する。なお、この実施の形態では、処理制御手段はシーケンス制御部８を有し、表示手段は液晶制御部９と液晶画面２とを有している。
【００１１】
カード情報読取制御部１０は、ＩＣカード６を検出するための電波をアンテナ部３に発生させる。ＩＣカード６は、アンテナ部３上にかざされた際に、アンテナ部３からの電波を受信し応答信号を発する。カード情報読取制御部１０は、ＩＣカード６からの応答信号をアンテナ部３が受信した際に、シーケンス制御部８に対してカード検出信号を入力する。シーケンス制御部８は、カード情報読取制御部１０からのカード検出信号を検出した場合に、カード情報読取指令をカード情報読取制御部１０に入力する。カード情報読取制御部１０は、シーケンス制御部８からのカード情報読取指令に応じて、ＩＣカード６に格納された情報を、アンテナ部３を介して非接触で読み取る。また、カード情報読取制御部１０は、情報読取動作が終了した際に、情報読取動作の成功及び失敗を示す動作結果情報をシーケンス制御部８に入力する。また、カード情報読取制御部１０は、情報読取動作が成功した際に、ＩＣカード６から読み取った情報をシーケンス制御部８に入力する。なお、この実施の形態では、カード情報読取手段はカード情報読取制御部１０とアンテナ部３とを有している。
【００１２】
シーケンス制御部８は、カード情報読取指令をカード情報読取制御部１０に入力すると同時に、タイマ手段１１に対して時間計測開始指令を入力する。また、シーケンス制御部８は、カード情報読取制御部１０からの動作結果情報を検出した際に、タイマ手段１１に対して時間計測停止指令を入力する。タイマ手段１１は、時間計測開始指令が入力されてから時間計測停止指令が入力されるまでの時間を計測する。即ち、タイマ手段１１は、カード情報読取制御部１０及びアンテナ部３による情報読取動作が開始されてからの経過時間と、カード情報読取制御部１０及びアンテナ部３がＩＣカード６から情報を読み取り終えるまでに要した読取時間とを計測する。
【００１３】
シーケンス制御部８は、タイマ手段１１によって計測される経過時間が、所定時間に達した場合に、液晶制御部９に対して操作ガイダンス切替指令を入力し、次の操作に関する操作ガイダンスを液晶制御部９及び液晶画面２に表示させる。
【００１４】
ここで、シーケンス制御部８は、カード情報読取制御部１０からのカード検出信号を検出するまでは、例えば「カードをかざして下さい」等、ＩＣカード６の操作に関する操作ガイダンスを液晶制御部９及び液晶画面２に表示させる。シーケンス制御部８は、次の操作ガイダンスとして、例えば「読み込み完了」及び「指を置いて下さい」等、指紋読取センサ部４の操作を促す操作ガイダンスを液晶画面２に表示させる。
【００１５】
さらに、シーケンス制御部８は、操作ガイダンス切替指令を液晶制御部９に入力すると同時に、指紋読取指令を指紋読取制御部１２に入力する。指紋読取制御部１２は、シーケンス制御部８からの指紋読取指令に応じて、指紋読取センサ部４上に置かれた利用者の指から指紋情報を読み取る。また、指紋読取制御部１２は、指紋読取センサ部４を介して読み取った指紋情報をシーケンス制御部８に入力する。シーケンス制御部８は、カード情報読取制御部１０からの指紋情報と、指紋読取制御部１２からの指紋情報とを照合し個人識別を行う。なお、この実施の形態では、入力手段は、指紋読取制御部１２と指紋読取センサ部４とを有している。
【００１６】
次に、図３は、図１のアンテナ部３とＩＣカード６との間で通信することができる状態を示す説明図である。アンテナ部３は、ＩＣカード６が数ｃｍ程度離れていてもＩＣカード６と通信することができる。換言すると、アンテナ部３は、通信限界距離（読取限界距離）を有している。図３に示すように、アンテナ部３は、ＩＣカード６が通信限界距離から最接近されるまでの接近時間と、ＩＣカード６が最接近された状態から通信限界距離を離脱されるまでの離脱時間とで、ＩＣカード６の情報を読み取ることができる。即ち、ＩＣカード６の情報を読み取り終える離脱時間前に、指紋読取センサ部４の操作を促す操作ガイダンスを液晶画面２に表示させ、利用者にＩＣカード６をアンテナ部３から離させても、ＩＣカード６の情報を正常に読み取ることができる。なお、ＩＣカード６がアンテナ部３に最接近された状態とは、例えばＩＣカード６がアンテナ部３の外装に直接接触された状態や、ＩＣカード６を収納したケースがアンテナ部３の外装に接触された状態等、一般的な利用方法を考慮した所定距離までＩＣカード６がアンテナ部３に近づけられた状態である。
【００１７】
具体的には、ＩＣカード６の情報を読み取り終えるまでに要する時間を２秒とするとともに、離脱時間を０．５秒とすると、ＩＣカード６の情報を読み取り終える０．５秒前、即ち情報読取動作が開始されてからの経過時間が１．５秒に達したときに、利用者に次の操作を促しても、ＩＣカード６の情報を正常に読み取ることができる。但し、非接触カード情報処理装置１の設置環境によっては、通信のリトライ等が発生し情報読取の時間が長くなることがあるので、情報読取動作が開始されてからの経過時間が１．５秒に達したときに一律に次の操作を促すと、情報読取を正常に行うことができなくなる可能性がある。つまり、現在の設置環境下での読取時間に対応できなければならない。
【００１８】
シーケンス制御部８は、カード情報読取制御部１０からの動作結果情報が成功を示す情報である場合に、タイマ手段１１によって計測された読取時間をメモリ手段１３に格納させる。また、シーケンス制御部８は、メモリ手段１３に読取時間が既に格納されている場合、メモリ手段１３に格納されている読取時間を、タイマ手段１１によって計測された最新の読取時間に更新する。
【００１９】
また、シーケンス制御部８は、カード情報読取制御部１０からのカード検出信号を検出した場合に、メモリ手段１３に読取時間が格納されているかどうかを判定する。シーケンス制御部８は、メモリ手段１３に読取時間が格納されていると判定した場合、タイマ手段１１によって計測される経過時間が、メモリ手段１３に格納されている読取時間に達する前に、液晶制御部９に対して操作ガイダンス切替指令を入力し、次の操作に関する操作ガイダンスを液晶制御部９及び液晶画面２に表示させる（早期表示動作）。
【００２０】
具体的には、メモリ手段１３には、ＩＣカード６が最接近された状態から通信限界距離まで離されるのに要する離脱時間が予め格納されている。シーケンス制御部８は、メモリ手段１３に格納されている読取時間から離脱時間を減算することで切替タイムを求める。また、シーケンス制御部８は、タイマ手段１１によって計測された経過時間が切替タイムに達した際に、操作ガイダンス切替指令を液晶制御部９に入力する。即ち、シーケンス制御部８は、タイマ手段１１によって計測された経過時間が、メモリ手段１３に格納されている読取時間の離脱時間前となったときに、次の操作に関する操作ガイダンスを液晶制御部９及び液晶画面２に表示させる。なお、離脱時間は、アンテナ部３の通信限界距離によって任意に設定できる。
【００２１】
ＩＣカード６の情報が初めて読み取られる場合は、メモリ手段１３に読取時間が格納されていない。シーケンス制御部８は、メモリ手段１３に読取時間が格納されていないと判定した場合、そのときの情報読取動作については、次の操作ガイダンスを情報読取動作が終了した後に液晶制御部９及び液晶画面２に表示させる（通常動作）。
【００２２】
また、利用者によっては、予め設定されている離脱時間よりも早く、通信限界距離からＩＣカード６を離してしまうことがあり、同じ利用者が再度失敗を発生させないようにする必要がある。シーケンス制御部８は、カード情報読取制御部１０からの動作結果情報が失敗を示す情報である場合、メモリ手段１３に格納されている読取時間を無効とする（クリアする）。即ち、シーケンス制御部８は、カード情報読取制御部１０及びアンテナ部３による情報読取動作が失敗した場合、次回の情報読取動作時については、次の操作ガイダンスを情報読取動作が終了した後に液晶制御部９及び液晶画面２に表示させる。
【００２３】
次に、動作について説明する。図４は、図１の制御装置５によって行われる動作選択を示すフローチャートである。図において、アンテナ部３上にかざされたＩＣカード６がカード情報読取制御部１０によって検出され、カード情報読取制御部１０からシーケンス制御部８に対してカード検出信号が入力された場合、メモリ手段１３に読取時間が格納されているかどうかがシーケンス制御部８によって判定される（ステップＳ１）。
【００２４】
このとき、ＩＣカード６の情報が初めて読み取られた場合、及びメモリ手段１３に格納されている読取時間が無効とされた場合には、メモリ手段１３に読取時間が格納されていないとシーケンス制御部８によって判定され、通常動作が行われる（ステップＳ２）。
【００２５】
これに対して、メモリ手段１３に読取時間が格納されていると判定された場合、次の操作に関する操作ガイダンスを通常動作に比べて早期に表示する早期表示動作が行われる（ステップＳ３）。なお、通常動作及び早期表示動作が終了した後に、カード情報読取制御部１０によってＩＣカード６が再度検出された場合、この動作選択が再度行われる。
【００２６】
次に、図５は、図４の通常動作を示すフローチャートである。図において、通常動作が開始されると、シーケンス制御部８からカード情報読取制御部１０に対してカード情報読取指令が入力され、カード情報読取制御部１０及びアンテナ部３による情報読取動作が開始される（ステップＳ５）。これと同時に、シーケンス制御部８からタイマ手段１１に対して時間計測開始指令が入力され、タイマ手段１１による読取時間測定が開始される（ステップＳ６）。
【００２７】
その次に、カード情報読取制御部１０及びアンテナ部３による情報読取動作が終了した際に（ステップＳ７）、カード情報読取制御部１０からの動作結果情報に基づいて、情報読取動作が成功したかどうかがシーケンス制御部８によって判定される（ステップＳ８）。
【００２８】
このとき、情報読取動作が成功したと判定された場合、シーケンス制御部８から液晶制御部９に対して操作ガイダンス切替指令が入力され、指紋入力操作を行うように促す操作ガイダンスが液晶画面２に表示される（ステップＳ９）。これと同時に、シーケンス制御部８からタイマ手段１１に対して時間計測終了指令が入力され、タイマ手段１１による読取時間測定が終了されるとともに（ステップＳ１０）、シーケンス制御部８によってメモリ手段１３の読取時間が更新され（ステップＳ１１）、この通常動作が終了される。
【００２９】
これに対して、情報読取動作が失敗したと判定された場合、シーケンス制御部８からタイマ手段１１に対して時間計測終了指令が入力されるとともに、タイマ手段１１による読取時間測定が終了される。このとき、情報読取動作が成功した場合とは異なり、メモリ手段１３に読取時間が格納されずに（ステップＳ１２）通常動作が終了される。
【００３０】
次に、図６は、図４の早期表示動作を示すフローチャートである。図において、早期表示動作が開始されると、メモリ手段１３に格納されている読取時間と離脱時間とに基づいて、切替タイムがシーケンス制御部８によって求められる（ステップＳ１５）。その次に、シーケンス制御部８からカード情報読取制御部１０に対してカード情報読取指令が入力され、カード情報読取制御部１０及びアンテナ部３による情報読取動作が開始される。これと同時に、シーケンス制御部８からタイマ手段１１に対して時間計測開始指令が入力され、タイマ手段１１による読取時間測定が開始される。
【００３１】
その次に、タイマ手段１１が計測している経過時間が切替タイムに達したかどうかがシーケンス制御部８によって判定され、切替タイムに達したとシーケンス制御部８によって判定された場合（ステップＳ１６）、シーケンス制御部８から液晶制御部９に対して操作ガイダンス切替指令が入力され、指紋読取センサ部４の操作を促す操作ガイダンスが液晶画面２に表示される。
【００３２】
その次に、カード情報読取制御部１０及びアンテナ部３による情報読取動作が終了した際に、カード情報読取制御部１０からの動作結果情報に基づいて、情報読取動作が成功したかどうかがシーケンス制御部８によって判定され、情報読取動作が成功したと判定された場合、シーケンス制御部８からタイマ手段１１に対して時間計測終了指令が入力され、タイマ手段１１による読取時間測定が終了されるとともに、シーケンス制御部８によってメモリ手段１３の読取時間が更新され（ステップＳ１７）、この早期表示動作が終了される。
【００３３】
これに対して、情報読取動作が失敗したと判定された場合、シーケンス制御部８からタイマ手段１１に対して時間計測終了指令が入力され、タイマ手段１１による読取時間測定が終了される。このとき、メモリ手段１３に格納されている読取時間がシーケンス制御部８によって無効とされた上で（ステップＳ１８）、早期表示動作が終了される。
【００３４】
このような非接触カード情報処理装置１では、シーケンス制御部８は、タイマ手段１１によって計測された経過時間が、メモリ手段１３に格納されている読取時間に達する前に、次の操作に関する操作ガイダンスを液晶制御部９及び液晶画面２に表示させるので、利用者の操作に対するレスポンスを向上させることができ、利用者が感じるストレスを低減できる。特に、指紋情報は情報量が大きいので、ＩＣカード６から指紋情報を読み取り終えるまでの時間が長くなるという問題があったが、この実施の形態の非接触カード情報処理装置１では、利用者に読取時間を短く感じさせることができる。つまり、この発明は、カード情報読取制御部１０及びアンテナ部３によって読み取られた指紋情報を、指紋読取制御部１２及び指紋読取センサ部４に入力された指紋情報と照合する非接触カード情報処理装置１に特に有効である。
【００３５】
また、シーケンス制御部８は、タイマ手段１１によって計測された経過時間が、メモリ手段１３に格納されている読取時間の離脱時間前に達したときに、次の操作に関する操作ガイダンスを液晶制御部９及び液晶画面２に表示させるので、離脱時間を有効に利用でき、ＩＣカード６の情報をより確実に読み取ることができつつ、利用者の操作に対するレスポンスを向上させることができる。
【００３６】
さらに、シーケンス制御部８は、メモリ手段１３に格納されている読取時間を、タイマ手段１１によって計測された読取時間に更新するので、現在の設置環境下での最新の読取時間を学習することができ、設置環境に依存する読取時間の差分に対応しつつ、利用者の操作に対するレスポンスを向上させることができる。
【００３７】
さらにまた、シーケンス制御部８は、カード情報読取制御部１０及びアンテナ部３による情報読取動作が失敗した場合、次回の情報読取動作時については、次の操作に関する操作ガイダンスを情報読取動作が終了した後に液晶制御部９及び液晶画面２に表示させるので、同じ利用者が再度失敗を発生させることをより確実に防止でき、利用者の利便性を向上させることができる。
【００３８】
実施の形態２．
図７は、この発明の実施の形態２による非接触カード情報処理装置１５を示す構成図である。図において、非接触カード情報処理装置１５に用いられるＩＣカード６には、２指分（大容量）の指紋情報が格納されている大容量ＩＣカード１６と、１指分（小容量）の指紋情報が格納されている小容量ＩＣカード１７とが混在されている。大容量ＩＣカード１６の情報を読み取るのに必要な読取時間は、小容量ＩＣカード１７の情報を読み取るのに必要な読取時間と異なるので、それぞれの読取時間に対応させる必要がある。
【００３９】
ＩＣカード１６，１７に格納されている情報には、ＩＣカード１６，１７に格納されている情報の情報量の大小を示す情報量データが含まれている。ＩＣカード１６，１７は、アンテナ部３からの電波に対する応答信号に情報量データを付加する。シーケンス制御部１９は、アンテナ部３及びカード情報読取制御部１０を介して、ＩＣカード１６，１７からの情報量データを受信する。
【００４０】
メモリ手段１３に格納されている読取時間には、ＩＣカード１６，１７に格納されている情報の情報量の大小に対応した大容量読取時間及び小容量読取時間が含まれている。換言すると、大容量読取時間は大容量ＩＣカード１６の情報が読み取られた際の読取時間であり、小容量読取時間は小容量ＩＣカード１７の情報が読み取られた際の情報である。シーケンス制御部１９は、ＩＣカード１６，１７からの情報量データに対応した大容量読取時間及び小容量読取時間のいずれか一方を使用する。その他の構成は、実施の形態１と同様である。
【００４１】
次に、動作について説明する。図８は、図７の制御装置１７によって行われる動作選択を示すフローチャートである。図において、アンテナ部３上にかざされたＩＣカード６がカード情報読取制御部１０によって検出され、カード情報読取制御部１０からシーケンス制御部１９に対してカード検出信号が入力された場合、メモリ手段１３に読取時間が格納されているかどうかがシーケンス制御部１９によって判定される。このとき、メモリ手段１３に読取時間が格納されていないと判定された場合、通常動作が行われる（ステップＳ１９）。
【００４２】
これに対して、メモリ手段１３に読取時間が格納されているとシーケンス制御部１９によって判定された場合、ＩＣカード６からの情報量データに基づいて、ＩＣカード６が大容量ＩＣカード１６であるかどうかがシーケンス制御部１９によって判定され（ステップＳ２０）、大容量ＩＣカード１６であると判定された場合、大容量時早期表示動作が行われ（ステップＳ２１）、小容量ＩＣカード１７であると判定された場合、小容量時早期表示動作が行われる（ステップＳ２２）。
【００４３】
次に、図９は、図８の通常動作を示すフローチャートである。図において、この実施の形態２の通常動作では、シーケンス制御部１９からタイマ手段１１に対して時間計測終了指令が入力され、タイマ手段１１による読取時間測定が終了した際に、ＩＣカード６からの情報量データに基づいて、ＩＣカード６が大容量ＩＣカード１６であるかどうかがシーケンス制御部１９によって判定される。
【００４４】
このとき、情報が読み取られたＩＣカード６が大容量ＩＣカード１６であったと判定された場合、タイマ手段１１によって計測された読取時間が大容量読取時間としてメモリ手段１３に格納される（ステップＳ２５）。これに対して、情報が読み取られたＩＣカード６が小容量ＩＣカード１７であったと判定された場合、タイマ手段１１によって計測された読取時間が小容量読取時間としてメモリ手段１３に格納される（ステップＳ２６）。その他の動作は、実施の形態１の通常動作と同様である。
【００４５】
次に、図１０は、図８の大容量時早期表示動作を示すフローチャートである。図において、大容量時早期表示動作では、大容量時早期表示動作が開始されると、メモリ手段１３に格納されている大容量読取時間と離脱時間とに基づいて切替タイムが求められる（ステップＳ２７）。また、カード情報読取制御部１０及びアンテナ部３による情報読取動作が成功され、タイマ手段１１による時間測定が終了した際には、メモリ手段１３の大容量読取時間が更新される（ステップＳ２８）。さらに、カード情報読取制御部１０及びアンテナ部３による情報読取動作が失敗され、タイマ手段１１による時間測定が終了した際には、メモリ手段１３に格納されている大容量読取時間が無効とされる（ステップＳ２９）。その他の動作は、実施の形態１の早期表示動作と同様である。
【００４６】
次に、図１１は、図８の小容量早期表示動作を示すフローチャートである。図において、小容量時早期表示動作では、小容量時早期表示動作が開始されると、メモリ手段１３に格納されている小容量読取時間と離脱時間とに基づいて切替タイムが求められる（ステップＳ３０）。また、カード情報読取制御部１０及びアンテナ部３による情報読取動作が成功され、タイマ手段１１による時間測定が終了した際には、メモリ手段１３の小容量読取時間が更新される（ステップＳ３１）。さらに、カード情報読取制御部１０及びアンテナ部３による情報読取動作が失敗され、タイマ手段１１による時間測定が終了した際には、メモリ手段１３に格納されている小容量読取時間が無効とされる（ステップＳ３２）。その他の動作は、大容量時早期表示動作と同様である。
【００４７】
このような、非接触カード情報処理装置１５では、シーケンス制御部１９は、カード情報読取制御部１０及びアンテナ部３によってＩＣカード１６，１７から読み取られた情報量データに対応した大容量読取時間及び小容量読取時間のいずれか一方を使用するので、大容量ＩＣカード１６と小容量ＩＣカード１７とが用いられる設置環境下でも、より適したタイミングで、次の操作ガイダンスを液晶制御部９及び液晶画面２に表示させることができ、設置環境に依存する読取時間の差分に対応しつつ、利用者の操作に対するレスポンスを向上させることができる。
【００４８】
なお、実施の形態２では、ＩＣカード１６，１７の情報量の種類数、及びメモリ手段１３に格納されている読取時間の種類数は２種類であったが、それらの種類数は３種類以上でもよい。
【００４９】
また、実施の形態１，２では、指紋照合で個人識別を行う非接触カード情報処理装置１，１５について説明したが、例えばパスワード等、他の識別情報によって個人識別を行うようにしてもよい。
【００５０】
さらに、実施の形態１，２では、メモリ手段１３に格納されている読取時間は、タイマ手段１１によって計測された読取時間に自動的に更新されるように説明したが、例えば、管理者によって設置現場で読取時間が測定されるとともに、その読取時間がメモリ手段に登録されてもよい。
【図面の簡単な説明】
【００５１】
【図１】この発明の実施の形態１による非接触カード情報処理装置を示すブロック図である。
【図２】図１の非接触カード情報処理装置の外観を示す正面図である。
【図３】図１のアンテナ部とＩＣカードとの間で通信することができる状態を示す説明図である。
【図４】図１の制御装置によって行われる動作選択を示すフローチャートである。
【図５】図４の通常動作を示すフローチャートである。
【図６】図４の早期表示動作を示すフローチャートである。
【図７】この発明の実施の形態２による非接触カード情報処理装置を示す構成図である。
【図８】図７の制御装置によって行われる動作選択を示すフローチャートである。
【図９】図８の通常動作を示すフローチャートである。
【図１０】図８の大容量時早期表示動作を示すフローチャートである。
【図１１】図８の小容量早期表示動作を示すフローチャートである。
【符号の説明】
【００５２】
１，１５  非接触カード情報処理装置、２  液晶画面、３  アンテナ部、４  指紋読取センサ部、６，１６，１７  ＩＣカード、８，１９  シーケンス制御部（処理制御手段）、９  液晶制御部、１０  カード情報読取制御部、１１  タイマ手段、１２  指紋読取制御部、１３  メモリ手段。
【図１】
2007226317.tif 000003
【図２】
2007226317.tif 000004
【図３】
2007226317.tif 000005
【図４】
2007226317.tif 000006
【図５】
2007226317.tif 000007
【図６】
2007226317.tif 000008
【図７】
2007226317.tif 000009
【図８】
2007226317.tif 000010
【図９】
2007226317.tif 000011
【図１０】
2007226317.tif 000012
【図１１】
2007226317.tif 000013